(57)【要約】【課題】金属線圧縮体にズレや割れを発生し難くする【解決手段】一本の材料用金網１０の一端側の部分を被せ用金網１２とし、材料用金網１０の被せ用金網１２よりも他端側の部分を重ね用金網１１とする。次に、重ね用金網１１を幅方向に折ることで被せ用金網１２よりも重ね用金網１１を幅狭にする。次に、被せ用金網１２を長さ方向に巻き、その外周側に、図４（ｇ）に示すように、重ね用金網１１を複数回巻くことで重ね用金網１１を複数の巻き層Ｌ，Ｌ・・状に重ねる。次に、図４（ｈ）に示すように、被せ用金網１２を幅方向に折ることで、重ね用金網１１の幅方向の側部に被せ用金網１２を前記複数の巻き層Ｌ，Ｌ・・を跨ぐ形で被せる。そして、材料用金網１０を被せ用金網１２側からオス型２１で圧縮して金属線圧縮体１を成形する。【選択図】図４
2015129456.tif 000002
【特許請求の範囲】
【請求項１】
重ね用金網（１１）が、複数の層（Ｌ）状に重ねられた状態で圧縮されてなる重ね部（１ａ，２ａ）と、被せ用金網（１２）が、重ね用金網（１１）の側部に前記複数の層（Ｌ）を跨ぐ形で被せられた状態で圧縮されてなる被せ部（１ｂ，２ｂ）とを含む金属線圧縮体。
【請求項２】
重ね用金網（１１）が、長さ方向に複数回巻かれて複数の巻き層（Ｌ）状に重ねられた状態で圧縮されてなる重ね部（１ａ，２ａ）と、被せ用金網（１２）が、重ね用金網（１１）の幅方向の側部に前記複数の巻き層（Ｌ）を跨ぐ形で被せられた状態で圧縮されてなる被せ部（１ｂ，２ｂ）とを含む金属線圧縮体。
【請求項３】
一本の材料用金網（１０）の一端側の部分が被せ用金網（１２）であり、材料用金網（１０）の被せ用金網（１２）よりも他端側の部分が重ね用金網（１１）である請求項２記載の金属線圧縮体。
【請求項４】
重ね用金網（１１）を複数の層（Ｌ）状に重ね、重ね用金網（１１）の側部に被せ用金網（１２）を前記複数の層（Ｌ）を跨ぐ形で被せてから、重ね用金網（１１）及び被せ用金網（１２）を、被せ用金網（１２）側からオス型（２１）で圧縮して金属線圧縮体（１，２）を成形する金属線圧縮体の製造方法。
【請求項５】
重ね用金網（１１）を長さ方向に複数回巻くことで重ね用金網（１１）を複数の巻き層（Ｌ）状に重ね、重ね用金網（１１）の幅方向の側部に被せ用金網（１２）を前記複数の巻き層（Ｌ）を跨ぐ形で被せてから、重ね用金網（１１）及び被せ用金網（１２）を、被せ用金網（１２）側からオス型（２１）で圧縮して金属線圧縮体（１，２）を成形する金属線圧縮体の製造方法。
【請求項６】
一本の材料用金網（１０）の一端側の部分を被せ用金網（１２）とし、材料用金網（１０）の被せ用金網（１２）よりも他端側の部分を重ね用金網（１１）とし、
重ね用金網（１１）を幅方向に折ることで被せ用金網（１２）よりも重ね用金網（１１）を幅狭にし、
被せ用金網（１２）を長さ方向に巻き、その外周側に重ね用金網（１１）を複数回巻くことで重ね用金網（１１）を複数の巻き層（Ｌ）状に重ね、被せ用金網（１２）を幅方向に折ることで重ね用金網（１１）の幅方向の側部に被せ用金網（１２）を前記複数の巻き層（Ｌ）を跨ぐ形で被せてから、
材料用金網（１０）を被せ用金網（１２）側からオス型（２１）で圧縮して金属線圧縮体（１，２）を成形する金属線圧縮体の製造方法。
【発明の詳細な説明】
【技術分野】
【０００１】
本発明は、ＤＰＦ（ディーゼル微粒子捕集フィルター）のパッキン兼緩衝材や、自動車のマフラーのガスケット等として用いられる金属線圧縮体に関する。
【背景技術】
【０００２】
従来の金属線圧縮体には、図８に示す従来例１（先行文献１）の金属線圧縮体８１のように、筒状の金網８０が圧縮成形機９０等により筒長方向に圧縮されてなるものがある。
【０００３】
また、それ以外にも、図９に示す従来例２の金属線圧縮体８２のように、筒状の金網８０が、筒長方向の両側から内側に丸め込まれてから、圧縮成形機９０等により筒長方向に圧縮されてなるものがある。
【０００４】
また、それ以外にも、図１０に示す従来例３の金属線圧縮体８３のように、金網８０が、長さ方向に複数回巻かれてから、圧縮成形機９０等により幅方向に圧縮されてなるものがある。なお、この金網８０の両端は約４５°にカットされており、それにより両端での結合力が強くなり剥がれ難くなるように図られている。
【先行技術文献】
【特許文献】
【０００５】
【特許文献１】特開２０１３−１９３４７号公報
【発明の概要】
【発明が解決しようとする課題】
【０００６】
しかしながら、このような従来例１〜３の金属線圧縮体８１〜８３では、巻き層等の層の境目が外部に露出するので、露出した層の境目でズレや割れが発生し易くなる。
【０００７】
具体的には、例えば、従来例３の金属線圧縮体８３の場合、図１１（ａ）に示すように、金網８０の巻き層Ｌ，Ｌ・・の境目が外部に露出するので、圧縮して成形する際には、図１１（ｂ）に示すように、その境目でズレＤ１が発生し易い。また、更に、成形後には、図１１（ｃ）に示すように、巻き層Ｌ，Ｌ・・の境目で剥がれ易く、それにより、割れＤ２が発生し易い。
【０００８】
そして、そのようなズレＤ１や割れＤ２は、金属線圧縮体８３が低密度であるほど、また、大径であるほど、発生し易い。そして、そのようなズレＤ１や割れＤ２が発生した場合、金属線圧縮体８３の内側にＤＰＦ（ディーゼル微粒子捕集フィルター）やマフラー用パイプ等を挿入する際に、そのズレＤ１や割れＤ２で引っかかり易くなり、めくり上がり易くなってしまう。
【０００９】
そこで、ズレや割れを発生し難くすることを目的とする。
【課題を解決するための手段】
【００１０】
上記目的を達成するため、本発明の金属線圧縮体は、重ね用金網が、複数の層状に重ねられた状態で圧縮されてなる重ね部と、被せ用金網が、重ね用金網の側部に前記複数の層を跨ぐ形で被せられた状態で圧縮されてなる被せ部とを含んでいる。
【００１１】
また、同目的を達成するため、本発明の金属線圧縮体の製造方法は、重ね用金網を複数の層状に重ね、重ね用金網の側部に被せ用金網を前記複数の層を跨ぐ形で被せてから、重ね用金網及び被せ用金網を、被せ用金網側からオス型で圧縮して金属線圧縮体を成形する。
【００１２】
ここで、前記複数の層は、特に限定されず、例えば、湾曲せずに平面方向に延びる平面状の層が複数重ねられていてもよいが、巻き層であることが好ましい。
【００１３】
よって、具体的には、本発明の金属線圧縮体は、重ね用金網が、長さ方向に複数回巻かれて複数の巻き層状に重ねられた状態で圧縮されてなる重ね部と、被せ用金網が、重ね用金網の幅方向の側部に前記複数の巻き層を跨ぐ形で被せられた状態で圧縮されてなる被せ部とを含むことが好ましい。
【００１４】
また、本発明の金属線圧縮体の製造方法は、重ね用金網を長さ方向に複数回巻くことで重ね用金網を複数の巻き層状に重ね、重ね用金網の幅方向の側部に被せ用金網を前記複数の巻き層を跨ぐ形で被せてから、重ね用金網及び被せ用金網を、被せ用金網側からオス型で圧縮して金属線圧縮体を成形することが好ましい。
【００１５】
ここで、重ね用金網と被せ用金網とは、別体に形成されていても一体に形成されていてもよいが、重ね用金網を巻き、被せ用金網を被せる一連の作業がし易くなる点、及び成形後に分解され難くなる点で、一体に形成されていることが好ましい。具体的には、一本の材料用金網の一端側の部分が被せ用金網であり、材料用金網の被せ用金網よりも他端側の部分が重ね用金網であることが好ましい。
【００１６】
よって、より具体的には、本発明の金属線圧縮体の製造方法は、一本の材料用金網の一端側の部分を被せ用金網とし、材料用金網の被せ用金網よりも他端側の部分を重ね用金網とし、重ね用金網を幅方向に折ることで被せ用金網よりも重ね用金網を幅狭にし、被せ用金網を長さ方向に巻き、その外周側に重ね用金網を複数回巻くことで重ね用金網を複数の巻き層状に重ね、被せ用金網を幅方向に折ることで重ね用金網の幅方向の側部に被せ用金網を前記複数の巻き層を跨ぐ形で被せてから、材料用金網を被せ用金網側からオス型で圧縮して金属線圧縮体を成形することが好ましい。
【００１７】
重ね用金網及び被せ用金網の材質は、特に限定されないが、鉄、銅、アルミニウム及びそれらの合金を例示する。それらの中でも、耐熱性及び耐食性に優れている点で、ステンレス鋼であることが好ましい。
【発明の効果】
【００１８】
本発明によれば、重ね用金網の側部に被せ用金網を複数の層を跨ぐ形で被せるので、層の境目が外部に露出しない。そのため、層の境目でズレや割れが発生し難い。
【図面の簡単な説明】
【００１９】
【図１】（ａ）は実施例１の金属線圧縮体が設置されたＤＰＦを示す側面断面図、（ｂ）は金属線圧縮体を示す斜視図、（ｃ）は金属線圧縮体を示す一部断面の斜視図である。
【図２】実施例１の金属線圧縮体の製造手順を（ａ）〜（ｃ）に示す側面図である。
【図３】実施例１の金属線圧縮体の製造手順を（ｄ）〜（ｆ）に示す側面図である。
【図４】実施例１の金属線圧縮体の製造手順を（ｇ）（ｈ）に示す側面図である。
【図５】実施例１の金属線圧縮体の製造手順を（ｉ）〜（ｋ）に示す側面図である。
【図６】（ａ）は実施例２の金属線圧縮体が設置されたマフラーを示す側面断面図、（ｂ）は金属線圧縮体を示す斜視図、（ｃ）は金属線圧縮体を示す一部断面の斜視図である。
【図７】実施例２の金属線圧縮体の製造手順を（ｉ）〜（ｋ）に示す側面図である。
【図８】従来例１の金属線圧縮体の製造手順を（ａ）〜（ｄ）に示す側面図である。
【図９】従来例２の金属線圧縮体の製造手順を（ａ）〜（ｄ）に示す側面図である。
【図１０】従来例３の金属線圧縮体の製造手順を（ａ）〜（ｄ）に示す側面図である。
【図１１】（ａ）は、従来例３の金属線圧縮体を示す斜視図、（ｂ）はその金属線圧縮体にズレが発生したときを示す側面端面図、（ｃ）は割れが発生したときを示す側面端面図である。
【発明を実施するための形態】
【００２０】
以下、本発明の金属線圧縮体を図面を参照に説明する。
【実施例１】
【００２１】
図１〜５に示す金属線圧縮体１は、ＤＰＦ（ディーゼル微粒子捕集フィルター）３０の外面とその格納容器３１の内面との間に設置されるパッキン兼緩衝材ある。この金属線圧縮体１は、材料用金網１０をプレス成型して作るメッシュリングである。
【００２２】
この金属線圧縮体１は、重ね用金網１１が、長さ方向に複数回巻かれて複数の巻き層Ｌ，Ｌ・・状に重ねられた状態で圧縮されてなる重ね部１ａと、被せ用金網１２が、重ね用金網１１の幅方向の側部に前記複数の巻き層Ｌ，Ｌ・・を跨ぐ形で被せられた状態で圧縮されてなる被せ部１ｂとを含んでいる。そして、この金属線圧縮体１の軸線方向の一方側の内周側には、ＤＰＦ３０の端面の外周部を嵌め込むための凹部１ｃが凹設されている。
【００２３】
その金属線圧縮体１は、次に示す手順で製造する。
［１］まず、図２（ａ）に示す一本の筒状の材料用金網１０を用意する。その材料用金網１０は、直径０．１〜０．２ｍｍのステンレス鋼線を編んだもの（丸編品）である。そして、その材料用金網１０の一端側の部分を被せ用金網１２とし、材料用金網１０の被せ用金網１２よりも他端側の部分を重ね用金網１１とする。
【００２４】
［２］次に、図２（ｂ）に示すように、その筒状の材料用金網１０を潰して径方向に平たくすることで、二重シート状にする。そして、被せ用金網１２と重ね用金網１１との間に切れ目１３を、幅の半分程度にまで入れる。
【００２５】
［３］次に、図２（ｃ）に示すように、二重シート状の重ね用金網１１を幅方向（下方）に折ることで、重ね用金網１１を四重シート状にする。これにより、一端側の被せ用金網１２（二重）よりも、他端側の重ね用金網１１（四重）の方が幅狭になる。
【００２６】
［４］次に、図３（ｄ）（ｅ）に示すように、圧縮成形機２０の軸材２２に、被せ用金網１２を巻く。このとき、被せ用金網１２は、きっちり一重（一周）に巻くことが好ましい。
【００２７】
［５］次に、図３（ｆ）に示すように、被せ用金網１２の外周側に、重ね用金網１１を複数回巻くことで、図４（ｇ）に示すように、重ね用金網１１を複数の巻き層Ｌ，Ｌ・・状に重ねる。なお、このとき、重ね用金網１１（四重シート状）の端部は、解ける心配がある場合等には、幅方向に捩っておくとよい。
【００２８】
［６］次に、図４（ｈ）に示すように、被せ用金網１２を幅方向（下方）に折ることで、重ね用金網１１の幅方向側の一方の側部（上側部）に被せ用金網１２を、前記複数の巻き層Ｌ，Ｌ・・を跨ぐ形で被せる。
【００２９】
［７］次に、図５（ｉ）に示すように、その材料用金網１０を巻いた軸材２２を、圧縮成形機２０のメス型２３の内側にセットする。
【００３０】
［８］次に、図５（ｊ）に示すように、メス型２３にオス型２１を被せる。これにより、材料用金網１０をオス型２１で被せ用金網１２側から圧縮して、金属線圧縮体１を成形する。なお、このオス型２１には、金属線圧縮体１に凹部１ｃを形成するための凸部２１ｃが設けられている。
【００３１】
［９］次に、図５（ｋ）に示すように、圧縮成形機２０を開いて、金属線圧縮体１を取り出す。
【００３２】
本実施例１によれば、重ね用金網１１の幅方向側の側部（上側部）に被せ用金網１２を、複数の巻き層Ｌ，Ｌ・・を跨ぐ形で被せるので、巻き層Ｌ，Ｌ・・の境目が外部に露出しない。そのため、圧縮して成形する際には、巻き層Ｌ，Ｌ・・の境目でズレが発生し難くまた、成形後には、巻き層Ｌ，Ｌ・・の境目で割れが発生し難い。
【００３３】
そのため、金属線圧縮体１が低密度である場合や、大径である場合にも、ズレや割れが発生し難い。よって、金属線圧縮体１の内側にＤＰＦ３０を挿入する際に、ズレや割れで引っかかりめくり上がる、といった問題も発生し難い。
【実施例２】
【００３４】
図６，７に示す金属線圧縮体２は、マフラー４０のパイプの外面と排気管４１の内面との間に設置されるガスケットである。この金属線圧縮体２は、実施例１と同様、重ね部２ａと被せ部２ｂとを含んでいる。具体的には、この金属線圧縮体２は、実施例１と比較して、内周側に凹部１ｃを備えていない点で相違し、その他の点で同様である。
【００３５】
その金属線圧縮体２の製造方法は、図７に示すように、オス型２１に凹部１ｃを形成するための凸部２１ｃが設けられていない点で相違し、その他の点で同様である。また、被せ用金網１２については、図７（ｉ）に示すように、重ね用金網１１の幅方向の一方の側部（上側部）に被せるのに加え、他方の側部（下側部）にも延ばして被せることが好ましい。
【００３６】
本実施例２によれば、マフラー４０に用いるガスケットにおいても実施例１と同様の効果を得ることができる。
【００３７】
なお、本発明は前記実施例の構成に限定されるものではなく、発明の趣旨から逸脱しない範囲で適宜変更して具体化することもできる。
【００３８】
１    金属線圧縮体（パッキン兼緩衝材）
１ａ  重ね部
１ｂ  被せ部
２    金属線圧縮体（ガスケット）
２ａ  重ね部
２ｂ  被せ部
１０    材料用金網
１１    重ね用金網
１２    被せ用金網
２１    オス型
Ｌ    巻き層
【図１】
2015129456.tif 000003
【図２】
2015129456.tif 000004
【図３】
2015129456.tif 000005
【図４】
2015129456.tif 000006
【図５】
2015129456.tif 000007
【図６】
2015129456.tif 000008
【図７】
2015129456.tif 000009
【図８】
2015129456.tif 000010
【図９】
2015129456.tif 000011
【図１０】
2015129456.tif 000012
【図１１】
2015129456.tif 000013